(57)【要約】【課題】操作時の利便性を向上させつつも、フォーカスシンボルの視認性が低下することを抑制できる表示制御装置、表示制御方法を提供する。【解決手段】表示制御装置は、表示部に表示されている操作対象（操作ボタン）のうち、ユーザによって選択対象とされた操作ボタンに対して当該操作ボタンが選択対象であることを識別可能に示すフォーカスシンボル（フォーカス枠）を表示するとともに、表示部の画面を遷移するとき、遷移元の画面におけるフォーカスシンボルの位置を遷移元位置として記憶しておき、遷移先の画面において、遷移元位置から最も近い位置に表示される操作対象に対してフォーカスシンボルを表示する。【選択図】図４
2016126708.tif 000002
【特許請求の範囲】
【請求項１】
ユーザが操作する操作手段（５、１０）からの操作信号を入力する入力手段（４）と、
前記入力手段（４）に入力された操作信号に基づいて、表示手段（３）への操作対象の表示および当該表示手段（３）の画面の遷移を制御する制御手段（２）と、
前記制御手段（２）によって前記表示手段（３）に表示される前記操作対象（２２、２７、Ｂ１〜Ｂ５）の位置を記憶する記憶手段（６）と、を備え、
前記制御手段（２）は、前記表示手段（３）に表示されている前記操作対象（２２、２７、Ｂ１〜Ｂ５）のうち、ユーザによって選択対象とされた前記操作対象（２２、２７、Ｂ１〜Ｂ５）に対して当該操作対象（２２、２７、Ｂ１〜Ｂ５）が選択対象であることを識別可能に示すフォーカスシンボル（２４、３０）を表示するとともに、前記表示手段（３）の画面を遷移するとき、遷移元の画面における前記フォーカスシンボル（２４、３０）の位置を遷移元位置として前記記憶手段（６）に記憶しておき、遷移先の画面において、前記遷移元位置から最も近い位置に表示される前記操作対象（２２、２７、Ｂ１〜Ｂ５）に対して前記フォーカスシンボル（２４、３０）を表示することを特徴とする表示制御装置。
【請求項２】
前記制御手段（２）は、前記操作対象（２２、２７、Ｂ１〜Ｂ５）を置き換える編集機能を有し、前記操作対象（２２、２７、Ｂ１〜Ｂ５）を置き換える編集を開始する際の編集開始画面（Ｍ１）と当該操作対象（２２、２７、Ｂ１〜Ｂ５）を編集している最中の編集中画面（Ｍ２）との間で画面を遷移するものであり、前記編集中画面（Ｍ２）から前記編集開始画面（Ｍ１）に遷移するときに、前記編集中画面（Ｍ２）における前記フォーカスシンボル（２４）の位置を前記遷移元位置として記憶し、遷移後の前記編集開始画面（Ｍ１）において、前記遷移元位置から最も近い位置に表示される前記操作対象（２２、２７、Ｂ１〜Ｂ５）に対して前記フォーカスシンボル（２４、３０）を表示することを特徴とする請求項１記載の表示制御装置。
【請求項３】
前記制御手段（２）は、前記操作対象（２２、２７、Ｂ１〜Ｂ５）を、操作対象として表示されている場合とユーザによって選択されて選択状態になった場合とにおいて異なる表示態様で表示するとともに、前記フォーカスシンボル（２４、３０）を、前記操作対象（２２、２７、Ｂ１〜Ｂ５）が選択状態になった場合の表示態様とは異なる表示態様で表示することを特徴とする請求項１または２記載の表示制御装置。
【請求項４】
前記制御手段（２）は、遷移先の画面において前記遷移元位置から最も近い位置に表示される前記操作対象（２２、２７、Ｂ１〜Ｂ５）が複数存在する場合、予め設定されている優先順位にしたがって前記フォーカスシンボル（２４、３０）を表示する前記操作対象（２２、２７、Ｂ１〜Ｂ５）を特定することを特徴とする請求項１から３のいずれか一項記載の表示制御装置。
【請求項５】
表示手段（３）に表示されている操作対象（２２、２７、Ｂ１〜Ｂ５）のうち、ユーザによって選択対象とされた前記操作対象（２２、２７、Ｂ１〜Ｂ５）に対して当該操作対象（２２、２７、Ｂ１〜Ｂ５）が選択対象であることを識別可能に示すフォーカスシンボル（２４、３０）を表示する表示工程と、
前記表示手段（３）の画面を遷移するとき、遷移元の画面における前記フォーカスシンボル（２４、３０）の位置を遷移元位置として前記記憶手段（６）に記憶する記憶工程と、
遷移先の画面において、前記遷移元位置から最も近い位置に表示される前記操作対象（２２、２７、Ｂ１〜Ｂ５）を特定する特定工程と、
遷移先の画面において、前記遷移元位置から最も近い位置に表示される前記操作対象（２２、２７、Ｂ１〜Ｂ５）に対して前記フォーカスシンボル（２４、３０）を表示する再表示工程と、
を含むことを特徴とする表示制御方法。
【発明の詳細な説明】
【技術分野】
【０００１】
本発明は、表示制御装置、表示制御方法に関する。
【背景技術】
【０００２】
従来、画面に表示される操作ボタン等の操作対象の位置を予め記憶しておき、画面を遷移したときに、選択されている操作ボタンを示すポインタ等のフォーカスシンボルを、遷移先の画面における操作ボタンの位置に移動させるものがある（例えば、特許文献１参照）。
【先行技術文献】
【特許文献】
【０００３】
【特許文献１】特開平６−３１４１６８号公報
【発明の概要】
【発明が解決しようとする課題】
【０００４】
さて、特許文献１のような構成の場合、画面が遷移すると選択対象となる操作ボタンの位置に自動的にフォーカスシンボルが移動することから、そのような動作が行われることを知っているユーザにとっては、便利であると考えられる。
【０００５】
しかしながら、初めて装置を扱うようなユーザは、通常、遷移元の画面においてフォーカスシンボルの位置を把握しておき、遷移先の画面においては、把握している位置からフォーカスシンボルを動かそうとする。そのため、ユーザが移動操作を行っていないにも関わらずフォーカスシンボルの位置が変更されると、遷移先の画面においてフォーカスシンボルがどこに表示されているかを探す必要があり、ユーザは困惑してしまう。すなわち、操作時の利便性を向上させようとした結果、フォーカスシンボルの視認性が低下してしまっていた。
【０００６】
本発明は上記事情に鑑みてなされたものであり、その目的は、操作時の利便性を向上させつつも、フォーカスシンボルの視認性が低下することを抑制できる表示制御装置、表示制御方法を提供することにある。
【課題を解決するための手段】
【０００７】
請求項１記載の発明では、表示制御装置は、表示手段に表示されている操作対象のうち、ユーザによって選択対象とされた操作対象に対して当該操作対象が選択対象であることを識別可能に示すフォーカスシンボルを表示するとともに、表示手段の画面を遷移するとき、遷移元の画面におけるフォーカスシンボルの位置を遷移元位置として記憶しておき、遷移先の画面において、遷移元位置から最も近い位置に表示される操作対象に対してフォーカスシンボルを表示する。これにより、ユーザは、画面が遷移したとしても視線を大きく動かすことなくフォーカスシンボルの位置を把握することができ、フォーカスシンボルの視認性が低下することを防止できる。そして、遷移先の画面では、選択対象となる操作対象にフォーカスシンボルが自動で移動するので、操作時の操作性や利便性を向上させることができる。すなわち、操作性や利便性の向上と、視認性低下の抑制とを両立することができる。
【図面の簡単な説明】
【０００８】
【図１】実施形態の表示制御装置の電気的構成を模式的に示す図
【図２】ステアリングスイッチの一例を模式的に示す図
【図３】表示制御処理の流れを示す図
【図４】フォーカス移動処理の流れを示す図
【図５】通常動作時の表示画面の一例を模式的に示す図
【図６】操作ボタンを編集する際の編集開始画面の一例を模式的に示す図
【図７】編集開始画面におけるフォーカス枠の移動態様を模式的に示す図
【図８】編集中画面の一例を模式的に示す図
【図９】編集中画面におけるフォーカス枠の移動順序の一例を示す図その１
【図１０】編集中画面におけるフォーカス枠の移動態様を模式的に示す図
【図１１】編集中画面から編集開始画面に遷移したときのフォーカス位置を示す図
【図１２】フォーカス位置の特定方法を模式的に示す図その１
【図１３】フォーカス位置の特定方法を模式的に示す図その２
【図１４】編集中画面におけるフォーカス枠の移動順序の一例を示す図その２
【図１５】フォーカスシンボルの他の例を模式的に示す図
【発明を実施するための形態】
【０００９】
以下、本発明の一実施形態について、図１から図１５を参照しながら説明する。
図１に示すように、本実施形態の表示制御装置１は、制御部２、表示部３、入力部４、操作部５、記憶部６、および外部インターフェース（図１では外部Ｉ／Ｆ７として示す）等を有している。この表示制御装置１は、本実施形態では車両８（図２参照）に搭載されている。このとき、表示制御装置１は、車両８に固定的に設けられていてもよいし、着脱可能に設けられていてもよい。また、表示制御装置１は、単体の装置として構成としてもよいし、例えば車両８（図２参照）に搭載されているナビゲーション装置等と兼用する構成としてもよい。また、表示制御装置１は、車両８以外の用途に用いられるものであってもよい。
【００１０】
制御部２（制御手段に相当）は、図示しないＣＰＵ、ＲＯＭおよびＲＡＭ等を有するマイクロコンピュータにより構成されており、記憶部６等に記憶されているプログラムにしたがって、表示制御装置１の全体を制御する。この制御部２は、詳細は後述するが、表示部３への操作ボタン（操作対象に相当。図５等参照）の表示、および表示部３の画面の遷移（図７、８等参照）を制御する。
【００１１】
表示部３（表示手段に相当）は、例えば液晶パネルや有機ＥＬパネル等で構成されており、制御部２の制御にしたがって操作ボタン等を表示する。なお、本実施形態では表示部３を表示制御装置１と一体に設けているが、表示部３を表示制御装置１と別体に設けてもよい。すなわち、本発明は、制御手段によって外部接続された表示手段を制御する場合にも適用することができる。
【００１２】
入力部４（入力手段に相当）は、ユーザが操作する操作部５からの操作信号を入力する。制御部２は、この入力部４に入力された操作信号に基づいて、ユーザの操作に応じて表示部３の表示画面を制御する。
【００１３】
操作部５（操作手段に相当）は、表示制御装置１に対する操作を入力するためにユーザが操作する機械的あるいは電気的な操作手段である。操作手段としては、例えば、表示部３の表示画面に対応して設けられているタッチパネルや表示画面の周囲に設けられる機械スイッチ類がある。また、操作手段としては、図２に示すように、車両８のステアリング９に設けられたステアリングスイッチ１０、あるいは、図示は省略するが、車両８のセンターコントロール等に設けられたハプティックデバイス（力覚提示デバイス）等であってもよい。つまり、操作部５は、表示制御装置１に一体的に設けられているものであってもよいし、別体で設けられているものであってもよい。
【００１４】
ステアリングスイッチ１０は、上下左右への傾動操作、プッシュ操作、周方向への回転操作が可能な多方向スイッチ１１と、表示画面を前画面に戻したりメニュー画面から抜けたりする等の操作を行う戻るスイッチ１２等で構成されている。なお、ステアリングスイッチ１０の構成は一例であり、同様の操作を行うことができれば、他の構成であってもよい。
【００１５】
記憶部６は、例えばＳＤ等の半導体メモリ、ＵＳＢメモリあるいはハードディスクドライブ等で構成されている。この記憶部６は、制御部２で実行されるコンピュータプログラムや各種の設定データ等を記憶している。また、記憶部６は、後述する操作ボタンの表示位置（表示部３の画面上における座標値。図１２、１３参照）や、フォーカス枠２４（図６等参照）の位置（遷移元位置に相当）も記憶する。
【００１６】
外部Ｉ／Ｆ７は、例えばＵＳＢ（登録商標）等による有線通信機能、Ｂｌｕｅｔｏｏｔｈ（登録商標。以下、便宜的にＢＴと称する）やワイヤレスＬＡＮ等による無線通信機能、ＣＡＮ（Controller Area Network）等の車載ＬＡＮとの通信機能、外部メモリ用のコネクタ機能等、表示制御装置１と外部の装置や機器との接続機能を提供する。なお、表示制御装置１にはこれらの機能を全て設ける必要はなく、必要とされる機能を提供できればよい。なお、本実施形態では、後述するように、ＵＳＢや専用規格等で接続された有線接続型の携帯型音楽再生装置を便宜的にメディアプレイヤーと称し、ＢＴで接続される携帯型音楽再生装置等を便宜的にＢＴＡ（図５等参照）と称する。
【００１７】
また、外部Ｉ／Ｆ７は、例えば上記したステアリングスイッチ１０が車載ＬＡＮ経由で接続されている場合には、操作手段からの操作信号を入力する入力手段として機能する。また、外部Ｉ／Ｆ７は、表示制御装置１がＢＴで接続されるコントローラや携帯型音楽再生装置等と接続される場合等にも、入力手段として機能する。また、スピーカ等の音声出力手段（図示省略）への音声出力も外部Ｉ／Ｆ７を介して行われる。なお、外部接続された表示手段を用いる場合、外部Ｉ／Ｆ７を介して映像信号を出力する構成としてもよい。
【００１８】
次に、上記した構成の作用について説明する。
表示制御装置１は、図３に示す表示制御処理および図４に示すフォーカス移動処理を実行する。以下、これらの処理の流れを、図５から図１５に示す画面の遷移状態とともに説明する。なお、図３に示す表示制御処理および図４に示すフォーカス移動処理は制御部２によって実行されるものであるが、以下では、説明の簡略化のため、表示制御装置１を主体として説明する。
【００１９】
表示制御装置１の表示部３には、通常、図５に示すような動作画面２０が表示されている。この動作画面２０には、表示制御装置１の動作時には基本的に常に、お気に入り表示部２１が表示される。このお気に入り表示部２１は、操作メニュー等の階層構造をたどること無く、一度の操作で登録されている機能を実行するためのお気に入りボタン２２が表示される。お気に入りボタン２２は、図５の場合、例えば４個の第１ボタン２２ａ、第２ボタン２２ｂ、第３ボタン２２ｃ、第４ボタン２２ｄ等、複数個のボタンが表示されている。これら第１ボタン２２ａ〜第４ボタン２２ｄを含むお気に入りボタン２２は、操作ボタンに相当する。
【００２０】
本実施形態では、第１ボタン２２ａにはＦＭラジオを受信する機能が登録されており、第２ボタン２２ｂには、交通情報を受信する機能が登録されており、第３ボタン２２ｃには、メディアプレイヤーを操作する機能が登録されており、第４ボタン２２ｄには、ＢＴＡを操作する機能が登録されている。なお、図５に示したお気に入りボタン２２の数や登録される機能名は一例である。
【００２１】
また、表示部３には、編集ボタン２３が表示されている。この編集ボタン２３は、お気に入りボタン２２を編集するためのボタンである。ユーザは、お気に入りボタン２２を編集したい場合、つまり、お気に入りボタン２２に登録する機能を変更したい場合に、この編集ボタン２３を操作する。
【００２２】
表示制御装置１は、ユーザによって編集ボタン２３が操作されると、図３に示す表示制御処理を実行する。なお、この表示制御処理、および後述する図４に示すフォーカス移動処理は、制御部２によって実行されるコンピュータプログラムによって実現されている。
【００２３】
表示制御装置１は、表示制御処理において、まず、図６に示すような編集開始画面Ｍ１を表示する。（Ｓ１）。この編集開始画面Ｍ１は、お気に入りボタン２２を置き換える編集を開始する際の画面である。編集開始画面Ｍ１には、図６に示すように、編集するお気に入りボタン２２を選択する選択操作を行うためのフォーカス枠２４、編集するボタン決定する決定操作を入力する決定ボタン２５、および、メッセージ表示部２６等が表示される。
【００２４】
フォーカス枠２４は、フォーカス枠２４が重ねて表示されている操作ボタン（図６では、第１ボタン２２ａ）が選択対象であることを識別可能に示すものであり、フォーカスシンボルに相当する。本実施形態では、フォーカス枠２４は、重ねられる操作ボタンよりも若干大きく表示されており、その枠内が透明あるいは透過色となっており、操作ボタンに重なった状態であっても、操作ボタンの文字を視認できる。図６の場合、第１ボタン２２ａが選択対象となっている。なお、フォーカス枠２４が重ねて表示されているだけでは、その操作ボタンは、選択の対象（選択の候補）となっている状態であり、まだ選択された状態とはなっていない。
【００２５】
このフォーカス枠２４は、ユーザによるステアリングスイッチ１０の多方向スイッチ１１の操作に応じて移動する。また、ユーザにより多方向スイッチ１１が例えばプッシュ操作されると、決定ボタン２５が操作されたと見なされて、フォーカス枠２４が表示されている操作ボタンが選択状態となる。以下、フォーカス枠２４を移動させる操作、つまり、操作ボタンを選択する操作を便宜的に選択操作と称する。また、選択した操作ボタンを選択状態にする操作を便宜的に決定操作と称する。
【００２６】
メッセージ表示部２６は、ユーザに操作を促すためのメッセージを表示する。図６の場合、「編集したいボタンを選択して下さい」というメッセージが表示されている。このとき、表示制御装置１は、メッセージをスピーカ等から音声出力して操作を促すようにしてもよい。なお、本実施形態では、ステアリングスイッチ１０による操作を例にしているが、当然のことながら、タッチパネルや機械スイッチあるいはハプティックデバイスを使用する場合であっても同様に表示制御装置１を操作できる。
【００２７】
編集開始画面Ｍ１を表示すると、表示制御装置１は、図３に示す表示制御処理において、選択対象のボタンをフォーカスする（Ｓ２）。このステップＳ２および後述するステップＳ６の処理は、表示部３に表示されている操作ボタンのうち、ユーザによって選択対象とされた操作ボタンに対して当該操作ボタンが選択対象（選択操作の対象）であることを識別可能に示すフォーカス枠２４を表示する表示工程に相当する。
【００２８】
続いて、表示制御装置１は、変更するボタンが決定されたかを判定し（Ｓ３）、変更するボタンが決定されていない場合には（Ｓ３：ＮＯ）、ステップＳ２に移行してユーザの決定操作を待機する。このとき、表示制御装置１は、ユーザによって選択操作が行われると、つまり、フォーカス枠２４の移動操作が行われると、ステップＳ２において選択対象のボタンをフォーカスする。
【００２９】
具体的には、表示制御装置１は、図６に示すように例えば第１ボタン２２ａが選択対象となっている状態で選択操作が行われると、図７に示すようにフォーカス枠２４を例えば第３ボタン２２ｃに移動する。このとき、表示制御装置１は、フォーカス枠２４の移動に併せて、新たに選択対象となった操作ボタンに登録される機能名等を音声出力によりユーザに通知するとよい。
【００３０】
表示制御装置１は、図３に示す表示制御処理において、ユーザにより決定操作が行われて変更するボタンが決定されると（Ｓ３：ＹＥＳ）、決定されたボタンを識別可能に強調表示する（Ｓ４）。具体的には、表示制御装置１は、図７に示すように第３ボタン２２ｃが選択対象となっている状態で決定操作が行われると、図８に示すように、第３ボタン２２ｃを強調表示する。すなわち、表示制御装置１は、操作ボタンを、操作対象として表示されている場合とユーザによって選択されて選択状態になった場合とにおいて異なる表示態様で表示するとともに、フォーカス枠２４を、操作ボタンが選択状態になった場合の表示態様とは異なる表示態様で表示する。
【００３１】
図８の場合、では、第３ボタン２２ｃが選択状態にあることを、ハッチングにより模式的に示している。なお、強調表示の態様としては、反転表示や他のボタンと異なる表示色での表示、あるいは操作ボタンに選択されたことを示す記号を付加する表示等が考えられる。
【００３２】
続いて、表示制御装置１は、図３に示す表示制御処理において、候補ボタン２７（図８参照）を表示する（Ｓ５）。なお、実際の制御上は、ステップＳ４とＳ５とはほぼ同時に行われるため、ステップＳ４とＳ５の順序が入れ替わっていてもよい。図８の場合、複数の候補ボタン２７、すなわち、登録済みのお気に入りボタン２２を置き換える候補の機能名を示す複数の操作ボタンが表示されている。この図８に示すような候補ボタン２７が表示されている状態が、お気に入りボタン２２を置き換える編集をしている最中の編集中画面Ｍ２に相当する。すなわち、表示制御装置１は、ステップＳ５において、編集開始画面Ｍ１から編集中画面Ｍ２に画面を遷移している。
【００３３】
このとき、メッセージ表示部２６には、編集中になったことから、例えば「追加・変更したいボタンを選択して下さい」といったメッセージが表示される。また、編集中画面Ｍ２では、決定ボタン２５は、お気に入りボタン２２と置き換える候補ボタン２７を決定するために操作される。この置き換える候補ボタン２７を決定する操作も決定操作に含まれる。
【００３４】
なお、図８の場合、画面に表示される候補ボタン２７のうち、本実施形態ではＦＭラジオ、交通情報、メディアプレイヤー、およびＢＴＡを示すボタンについては、既に登録お気に入りボタン２２として登録されていることから、グレーアウト表示されており、置き換えの候補から外されている。図８では、グレーアウト表示されている状態を、ハッチングにより模式的に示している。
【００３５】
編集中画面Ｍ２を表示すると、表示制御装置１は、図３に示す表示制御処理において、選択対象のボタンをフォーカスする（Ｓ６）。この場合、図８に示すように、お気に入りボタン２２の第３ボタン２２ｃがフォーカスされている。
【００３６】
さて、この編集中画面Ｍ２では、他のお気に入りボタン２２を選択することができる。このため、誤ってメディアプレイヤーを選択してしまい、例えばＢＴＡを選択し直したい場合には、図８に示されている状態からフォーカス枠２４をＢＴＡ（第４ボタン２２ｄ）に移動させて決定操作を行うことで、ＢＴＡを置き換え対象に選択することができる。つまり、編集開始画面Ｍ１においてフォーカスされていた第３ボタン２２ｃを含むお気に入りボタン２２は、遷移元の画面（この場合、編集開始画面Ｍ１）と遷移先の画面（この場合、編集中画面Ｍ２）との双方において、その表示位置が変化せずに表示されるとともに、且つ、ユーザによる選択対象として表示される。
【００３７】
続いて、表示制御装置１は、候補ボタン２７が決定されたかを判定し（Ｓ７）、決定されていなければ（Ｓ７：ＮＯ）、ステップＳ６に移行して、候補ボタン２７が決定されるのを待機する。このとき、表示制御手段は、ユーザによる選択操作に応じて、選択対象となったボタンをフォーカスする。このとき、フォーカス枠２４は、ユーザがステアリングスイッチ１０の多方向スイッチ１１を一方向、例えば右方向に押し続けることにより、あるいは、繰り返し押すことにより、図９に軌跡Ｒ１にて示すように、編集中画面Ｍ２に表示されている操作ボタンを順番に移動する。なお、多方向スイッチ１１を上下方向に操作した場合には、フォーカス枠２４の位置を上下に移動するようにし、例えばＢＴＡからＤＩＳＣに１回の操作で移動できるようにしてもよい。
【００３８】
具体的には、図９に示すように第３ボタン２２ｃに位置しているフォーカス枠２４は、ユーザが多方向スイッチ１１を右方向に１回操作すると、第４ボタン２２ｄに移動する。そして、ユーザが右方向にさらに１回操作すると、フォーカス枠２４は、候補ボタン２７の一番左上に移動する。ただし、図９に示すようにＦＭラジオの候補ボタン２７が置き換え候補では無い場合、その右側に位置するＡＭラジオの候補ボタン２７に移動する。つまり、フォーカス枠２４は、画面上に配置されている表示される操作ボタンに対して、基本的には画面の左側から右側に向かって移動するとともに、右端に達すると、一段下側に配置されている操作ボタンに移動する。
【００３９】
さて、図１０に示すように、第３ボタン２２ｃを置き換える候補としてＤＩＳＣの候補ボタン２７が選択された状態で、ユーザにより決定操作が行われたとする。このとき、表示制御装置１は、図３に示す表示制御処理において、候補ボタン２７が決定されたことから（Ｓ７：ＹＥＳ）、フォーカス移動処理を実行する（Ｓ８）。
【００４０】
ここで、本実施形態の表示制御装置１は、上記したように編集開始画面Ｍ１と編集中画面Ｍ２との間で画面を遷移する。そして、表示制御装置１は、編集中画面Ｍ２において決定操作が行われると編集開始画面Ｍ１に遷移する。そして、このフォーカス移動処理は、編集中画面Ｍ２（ここで、遷移元の画面に相当する）から編集開始画面Ｍ１（ここでは、遷移先の画面に相当する）に画面を遷移する際、フォーカス枠２４をどの位置に表示するかが特定されている。
【００４１】
表示制御装置１は、図４に示すフォーカス移動処理において、フォーカス中の候補ボタン２７の位置を取得する（Ｔ１）。図１０の場合、フォーカス中の候補ボタン２７はＤＩＳＣであるため、ここではＤＩＳＣの候補ボタン２７の位置が取得される。取得された候補ボタン２７の位置は、遷移元の画面におけるフォーカス枠２４の位置を遷移元位置として記憶手段に記憶される。このステップＴ１の処理が、表示部３の画面を遷移するとき、遷移元の画面におけるフォーカス枠２４の位置を遷移元位置として記憶部６に記憶する記憶工程に相当する。
【００４２】
続いて、制御装置は、図４に示すフォーカス移動処理において、遷移先の画面（この場合、編集開始画面Ｍ１）で表示されるボタンの位置を取得し（Ｔ２）、遷移先の画面において、遷移元位置から最も近いボタンを特定する（Ｔ３）。このステップＴ３は、遷移先の画面において、遷移元位置から最も近い位置に表示される操作ボタンを特定する特定工程に相当する。
【００４３】
ここで、特定工程についてより詳細に説明する。
図１１に示すように、表示部３の画面は、その左上を原点座標（０，０）とし、右方向にＸ座標、下方向にＹ座標を取っている。そして、表示制御装置１は、ステップＴ２では、現時点（つまり、遷移元の画面）におけるフォーカス枠２４の位置（図１１には実線にて示す）の位置として、その中心座標（Ｘａ，Ｙａ）を取得する。なお、フォーカス枠２４の位置は、現時点においてフォーカスされているボタンＢａの中心座標にほぼ一致するため、このボタンＢａの中心座標をフォーカス位置として利用することもできる。
【００４４】
また、記憶部６には、遷移先の画面において選択対象として表示されるボタンＢ１〜Ｂ４（操作ボタンに相当する）の中心座標も記憶されている。そのため、表示制御装置１は、ステップＴ３において、フォーカス枠２４の位置と各ボタンＢ１〜Ｂ４の位置までの距離をそれぞれ計算し、最も短い距離Ｌａに表示されるボタンＢ４を、遷移元の画面において、現時点でのフォーカス枠２４の位置から最も近いボタンとして特定する。そして、遷移先の画面では、図１１に破線にて示すように、ボタンＢ４にフォーカス枠２４が表示されることになる。
【００４５】
具体的には、制御装置は、図４に示すフォーカス移動処理において、特定されたボタンが今回の例では１つであるので（Ｔ４：ＹＥＳ）、候補ボタン２７を入れ替えた後に画面を遷移し（Ｔ５）、特定したボタンをフォーカスする（Ｔ６）。これにより、図１２に示すように、遷移元の画面（編集中画面Ｍ２）においてフォーカス枠２４（図１１では実線にて示す）の位置から最も近い第４ボタン２２ｄに、フォーカス枠２４が表示される。
【００４６】
すなわち、表示制御装置１は、画面を遷移する際、遷移元の画面におけるフォーカス枠２４の位置から最も視線の移動が少ないと想定される操作ボタンに、フォーカス枠２４を移動させる。このステップＴ６の処理が、遷移先の画面において、遷移元位置から最も近い位置に表示される操作ボタンに対してフォーカス枠２４を表示する再表示工程に相当する。
【００４７】
さて、図１３に示すように、遷移元の画面におけるフォーカス枠２４の位置（Ｘｂ，Ｙｂ）に対して、最も近い操作ボタンがＢ２、Ｂ３、Ｂ５のように複数個あったとする。つまり、フォーカス枠２４とボタンＢ２までの距離Ｌｂ１と、フォーカス枠２４とボタンＢ３までの距離Ｌｂ２と、フォーカス枠２４とボタンＢ５までの距離Ｌｂ３とが等しかったとする。
【００４８】
このとき、制御装置は、図４に示すフォーカス移動処理において、特定されたボタンが複数であるので（Ｔ４：ＮＯ）、予め定められている優先順位に基づいて、フォーカス枠２４を表示すべきボタンを特定する（Ｔ７）。本実施形態の場合、表示制御装置１は、表示部３の画面において左側に配置されているほど優先順位を高く設定し、且つ、表示部３において上側に配置されているほど優先順位を高く設定している。
【００４９】
このため、図１３の場合、Ｙ座標が同じボタンＢ２とボタンＢ３とでは、Ｂ２の方が優先順位は高い。また、Ｘ座標が同じボタンＢ２とボタンＢ５とでは、Ｂ２の方が優先順位は高い。そのため、この図１３の場合には、ボタンＢ２が、遷移元位置から最も近い位置に表示される操作ボタンとして特定される。なお、Ｘ座標とＹ座標にも優先順位を付け、仮にＸ座標が同じであったとすればＹ座標が小さいほど、つまり、画面の上側に配置されているほど優先順位を高くするようにしてもよい。
【００５０】
そして、表示制御装置１は、図４に示すフォーカス移動処理からリターンすると、編集が完了した旨を示す操作が入力されるのを待機した後、編集が完了した旨がユーザにより示されると、表示制御処理、つまり、お気に入りボタン２２を編集する処理を終了する。
【００５１】
このように、表示制御装置１は、画面を遷移する際、最も近い位置にフォーカス枠２４を表示させている。
以上説明した実施形態によれば、次のような効果を得ることができる。
【００５２】
表示制御装置１は、表示部３（表示手段）に表示されている操作ボタンのうち、ユーザによって選択対象とされた操作ボタンに対して当該操作ボタンが選択対象であることを識別可能に示すフォーカス枠２４（フォーカスシンボル）を表示するとともに、表示部３の画面を遷移するとき、遷移元の画面におけるフォーカス枠２４の位置を遷移元位置として記憶しておき、遷移先の画面において、遷移元位置から最も近い位置に表示される操作ボタンに対してフォーカス枠２４を表示する。
【００５３】
このような構成により、遷移元の画面におけるフォーカス枠２４がどのような位置であったとしても、ユーザは、画面が遷移したとしても視線を大きく動かすことなく、素早くフォーカス枠２４の位置を把握することができる。したがって、フォーカス枠２４の視認性が低下することを防止できる。そして、遷移先の画面では、選択対象となる操作ボタンにフォーカス枠２４が自動で移動するので、複数の操作ボタンが表示される画面の遷移が行われるような場合であっても、操作時の操作性や利便性を向上させることができる。すなわち、操作性や利便性の向上と、視認性低下の抑制とを両立することができる。
【００５４】
表示制御装置１は、お気に入りボタン２２（操作ボタン）を置き換える編集機能を有し、お気に入りボタン２２を置き換える編集を開始する際の編集開始画面Ｍ１と、当該お気に入りボタン２２を編集している最中の編集中画面Ｍ２との間で画面を遷移するものであり、編集中画面Ｍ２から編集開始画面Ｍ１に遷移するときに、編集中画面Ｍ２におけるフォーカス枠２４の位置を遷移元位置として記憶し、遷移後の編集開始画面Ｍ１において、遷移元位置から最も近い位置に表示されるお気に入りボタン２２に対してフォーカス枠２４を表示する。これにより、フォーカス枠２４の視認性が低下することを防止できる。
【００５５】
表示制御装置１は、遷移先の画面において遷移元位置から最も近い位置に表示されるお気に入りボタン２２（操作ボタン）が複数存在する場合、予め設定されている優先順位にしたがって、フォーカス枠２４を表示するお気に入りボタン２２を特定する。これにより、遷移先の画面において複数の操作ボタンが表示される場合であっても、フォーカス枠２４の位置を容易に把握できるようになる。
【００５６】
上記した表示工程、記憶工程、特定工程、および再表示工程を含む表示制御方法により、操作性や利便性の向上と視認性低下の抑制とを両立することができる等、表示制御装置１と同様の効果を得ることができる。
【００５７】
本発明は、上記した実施形態にて例示したものに限定されることなく、その範囲を逸脱しない範囲で任意に変形あるいは拡張することができる。
実施形態ではお気に入りボタン２２を編集する際の画面の遷移を例示したが、他の画面の遷移であっても同様の処理を行うことで、実施形態で説明した効果を得ることができる。例えば、候補ボタン２７を置き換える際の画面の遷移にも適用できる。
【００５８】
実施形態では、編集開始画面Ｍ１から編集中画面Ｍ２に遷移する際、フォーカス枠２４を、選択状態にあるお気に入りボタン２２（図８では第３ボタン２２ｃ）に表示した。これは、遷移後の画面において最も近い選択対象とある操作ボタンが、選択状態にある第３ボタン２２ｃであったためである。しかし、例えば編集中画面Ｍ２においてはお気に入りボタン２２が選択対象に含まれていない構成の場合には、編集中画面Ｍ２に遷移した際に、候補ボタン２７（選択対象となる操作ボタン）のうち最も近いボタンにフォーカス枠２４を表示すればよい。
【００５９】
実施形態ではメッセージ表示部２６に操作を促す等のメッセージを表示しているが、ユーザによっては煩わしく感じることもあるため、必ずしもメッセージを表示しなければいけないわけではない。
【００６０】
また、同様な理由から、表示制御装置１は、フォーカス枠２４の移動に併せて新たに選択対象となった操作ボタンに登録される機能名等を音声出力によりユーザに必ずしも通知しなくてもよい。
【００６１】
実施形態では操作ボタンやフォーカス枠２４の中心位置を取得したが、四角形であれば例えば画面上の左上の頂点の座標等であってもよい。
実施形態では、操作スイッチに対して一方向への操作入力が繰り返された場合には図９に示すように軌跡Ｒ１に沿ってフォーカス枠２４を移動させる例を示したが、図１４に示すように、各操作ボタンに予め番号（設計時に割り振る番号）を設け、番号の小さいものから順に軌跡Ｒ２に沿ってフォーカス枠２４を移動させるようにしてもよい。この場合にも、上下方向へ移動できるようにしてもよい。勿論、他の手順で優先順位を設定してもよい。
【００６２】
実施形態ではフォーカスシンボルとしてフォーカス枠２４を例示したが、フォーカスシンボルは、図１５に示すように、枠では無く、全体を透過色で塗りつぶすようなフォーカス領域３０であってもよい。この場合、選択状態にあるボタン（図１５では、メディアプレイヤー）とは異なる色でフォーカス領域３０を表示するとよい。
【００６３】
このようにフォーカス枠２４等のフォーカスシンボルを操作ボタンが選択状態になった場合の表示態様とは異なる表示態様で表示することにより、つまり、選択部分とフォーカス部分とを別々にすることにより、ユーザは選択部分を視認しやすくなり、その後に行う選択行動がわかりやすく円滑に行えるという効果を発揮する。なお、図１５では、透過色で塗りつぶされた状態をハッチングにて模式的に示している。
【００６４】
また、実施形態ではフォーカス枠２４を重ねられる操作ボタンよりも若干大きく表示した例を示したが、フォーカス枠２４は、操作ボタンの大きさに合わせて表示する設計としてもよい。
【００６５】
実施形態では、操作対象として操作ボタンを例示したが、これに限定されず、タッチボタン機能（タッチパネルによるタッチ操作の機能）を持たない表示枠や画像であってもよい。その場合、ステアリングスイッチ１０等にて操作することができる。
【００６６】
実施形態では表示制御装置１および表示制御方法を車両８で利用する場合の例を示したが、本発明は、画面の遷移が行われる装置一般にも適用することができる。車両８以外の用途では、例えばパーソナルコンピュータ、携帯電話機、スマートホン、タブレット型装置等の携帯端末が考えられる。
【符号の説明】
【００６７】
図面中、１は表示制御装置、２は制御部（制御手段）、３は表示部（表示手段）、４は入力部（入力手段）、５は操作部（操作手段）、６は記憶部（記憶手段）、１０はステアリングスイッチ（操作手段）、２２、２２ａ〜２２ｄはお気に入りボタン（操作ボタン）、２４はフォーカス枠（フォーカスシンボル）、２７は候補ボタン（操作ボタン）、３０はフォーカス領域（フォーカスシンボル）、Ｂ１〜Ｂ５はボタン（操作ボタン）を示す。
【図１】
2016126708.tif 000003
【図２】
2016126708.tif 000004
【図３】
2016126708.tif 000005
【図４】
2016126708.tif 000006
【図５】
2016126708.tif 000007
【図６】
2016126708.tif 000008
【図７】
2016126708.tif 000009
【図８】
2016126708.tif 000010
【図９】
2016126708.tif 000011
【図１０】
2016126708.tif 000012
【図１１】
2016126708.tif 000013
【図１２】
2016126708.tif 000014
【図１３】
2016126708.tif 000015
【図１４】
2016126708.tif 000016
【図１５】
2016126708.tif 000017